(57)【要約】【課題】外径寸法の異なる複数種類の配管の湾曲部を一つの支持具本体により支持することができ、コストを低減することができる配管支持具を提供する。【解決手段】支持具本体１１の円弧状半円筒部１１ａの内側面に側方から見て円弧状の円弧状段差部１１ｅを形成し、この円弧状段差部１１ｅを境にして円弧状半円筒部１１ａの内側に鎖線で示す小径配管Ｐ１を収容する小径配管収容溝１１ｆを形成する。前記円弧状段差部１１ｅの外側に鎖線で示す大径配管Ｐ２の外周面を二箇所で保持する左右一対の大径配管保持部１１ｇを形成する。【選択図】図１
2008138697.tif 000002
【特許請求の範囲】
【請求項１】
支持具本体に対し、小径配管の円弧状の湾曲部を収容し、かつ側方から見て円弧状に湾曲する小径配管収容溝を設けた円弧状半円筒部を形成し、該円弧状半円筒部の左右両側に対し固定構造物への取付用の脚板を設けた配管支持具であって、
前記小径配管収容溝の湾曲方向の中間部と対応する左右両側部に対し、大径配管の湾曲部の外周面を二箇所で保持する左右一対の大径配管保持部を設け、前記小径配管収容溝の湾曲方向の両端部を、前記小径配管と大径配管の共通の保持部とし、前記円弧状半円筒部の湾曲方向の両端部に対し、小径配管又は大径配管を前記保持部においてクランプするためのクランプ具をそれぞれ装着可能に構成したことを特徴とする配管支持具。
【請求項２】
請求項１において、前記小径配管収容溝の左右両側端縁に対し該収容溝の内頂面からの距離（ｄ）がほぼ同じになるように、かつ側方から見て円弧状になるように左右一対の円弧状段差部を湾曲形成し、両円弧状段差部の外側に前記大径配管保持部を、その横断面が円弧面となるように形成し、前記円弧状段差部及び大径配管保持部は、前記湾曲方向の中央部から両端部に行くに従い段差が小さくなるように形成されていることを特徴とする配管支持具。  
【請求項３】
請求項２において、前記小径配管収容溝に収容された小径配管の湾曲部の中心軸線（Ｏ１）から円弧状段差部までの距離（Ｌ１）は、０〜１０ｍｍに設定され、大径配管保持部に保持された大径配管の湾曲部の中心軸線（Ｏ２）から大径配管保持部の外端縁（ｅ）までの距離（Ｌ２）は、０〜１５ｍｍに設定されていることを特徴とする配管支持具。
【請求項４】
請求項１〜３のいずれか一項において、前記小径配管を支持する場合には、小径配管専用のクランプ具が用いられ、大径配管を支持する場合には、大径配管専用のクランプ具が用いられることを特徴とする配管支持具。
【請求項５】
請求項１〜４のいずれか一項において、前記大径配管保持部は、異径の複数の大径配管のいずれか一つを選択して保持可能に複数箇所に設けられていることを特徴とする配管支持具。
【発明の詳細な説明】
【技術分野】
【０００１】
本発明は、例えば、床暖房装置の配管を湾曲して立ち上げる際に配管の湾曲部を支持するのに使用される配管支持具に関する。
【背景技術】
【０００２】
室内の床暖房装置は、床下のコンクリートスラブと床板との間に温水を循環させる暖房用の配管を配設し、配管の端部をコンクリートスラブから壁板に沿って立ち上げ、給湯装置に接続するようになっている。この配管の立ち上げ構造として、エルボ継手を用いて配管を直角に立ち上げる方法があるが、配管の立ち上げ作業が面倒でコストを低減することができないという問題がある。
【０００３】
上記の問題を解消するために、従来、図１２に示すように、コンクリートスラブ２１の上面に支持された配管Ｐ１の立ち上げ部を水平方向から見て四半円弧状に湾曲させ、この配管Ｐ１の湾曲部を配管支持具の支持具本体１１により支持する構造のものが提案されている。前記支持具本体１１は、図１２及び図１３（ａ）に示すように、配管Ｐ１の湾曲部を収容する円弧状半円筒部１１ａを備え、脚板１１ｂの下端部をコンクリートスラブ２１の上面に固定するようになっている。前記支持具本体１１の両端部には、クランプ具１２，１３が連結され、配管Ｐ１が上下二箇所で円弧状半円筒部１１ａの内周面との間でクランプされるようになっている。そして、配管Ｐ１が図１２に示すように円弧状に湾曲され、その際に図１３（ａ）に鎖線で示すように、配管Ｐ１の横断面が楕円筒形に座屈（変形）された状態が円弧状半円筒部１１ａの内周面に形成された配管収容溝１１ｆにより真円筒形に矯正されるようになっている。
【発明の開示】
【発明が解決しようとする課題】
【０００４】
ところが、上記従来の支持具本体１１は、特定の直径ｄ１の配管Ｐ１を矯正する一つの配管収容溝１１ｆが設けられているのみのため、特定の直径ｄ１の小径配管Ｐ１にしか適用ができない。このため、図１３（ａ）に示す小径配管Ｐ１の直径ｄ１よりも大きい図１３（ｂ）に示す直径ｄ２の別の大径配管Ｐ２を支持する場合には、円弧状半円筒部１１ａの配管収容溝１１ｆの直径を前記大径配管Ｐ２の直径ｄ２に変更した別の支持具本体１１を使用しなければならないという問題があった。
【０００５】
床暖房に用いる前記小径配管Ｐ１として、例えは架橋ポリエチレンの直径１７ｍｍの裸管があり、大径配管Ｐ２として、コルゲート管に前記裸管を挿入した直径２３ｍｍのものがある。コンクリートスラブ２１と床板２４との上下方向の間隔が例えば１００ｍｍ程度と低い場合には、小径配管Ｐ１及び大径配管Ｐ２の湾曲部の曲率半径が小さくなるので、前述した座屈が生じる。このため、図１３（ａ）及び（ｂ）に示す配管収容溝１１ｆの大きさの異なる二種類の支持具本体１１が必要となる。
【０００６】
本発明は、上記従来の問題点を解消して、外径寸法の異なる複数種類の配管の湾曲部を一つの支持具本体により支持することができ、コストを低減することができる配管支持具を提供することにある。
【課題を解決するための手段】
【０００７】
上記問題点を解決するために、請求項１に記載の発明は、支持具本体に対し、小径配管の円弧状の湾曲部を収容し、かつ側方から見て円弧状に湾曲する小径配管収容溝を設けた円弧状半円筒部を形成し、該円弧状半円筒部の左右両側に対し固定構造物への取付用の脚板を設けた配管支持具であって、前記小径配管収容溝の湾曲方向の中間部と対応する左右両側部に対し、大径配管の湾曲部の外周面を二箇所で保持する左右一対の大径配管保持部を設け、前記小径配管収容溝の湾曲方向の両端部を、前記小径配管と大径配管の共通の保持部とし、前記円弧状半円筒部の湾曲方向の両端部に対し、小径配管又は大径配管を前記保持部においてクランプするためのクランプ具をそれぞれ装着可能に構成したことを要旨とする。
【０００８】
請求項２に記載の発明は、請求項１において、前記小径配管収容溝の左右両側端縁に対し該収容溝の内頂面からの距離がほぼ同じになるように、かつ側方から見て円弧状になるように左右一対の円弧状段差部を湾曲形成し、両円弧状段差部の外側に前記大径配管保持部を、その横断面が円弧面となるように形成し、前記円弧状段差部及び大径配管保持部は、前記湾曲方向の中央部から両端部に行くに従い段差が小さくなるように形成されていることを要旨とする。
【０００９】
請求項３に記載の発明は、請求項２において、前記小径配管収容溝に収容された小径配管の湾曲部の中心軸線から円弧状段差部までの距離は、０〜１０ｍｍに設定され、大径配管保持部に保持された大径配管の湾曲部の中心軸線から大径配管保持部の外端縁までの距離は、０〜１５ｍｍに設定されていることを要旨とする。
【００１０】
請求項４に記載の発明は、請求項１〜３のいずれか一項において、前記小径配管を支持する場合には、小径配管専用のクランプ具が用いられ、大径配管を支持する場合には、大径配管専用のクランプ具が用いられることを要旨とする。
【００１１】
請求項５に記載の発明は、請求項１〜４のいずれか一項において、前記大径配管保持部は、異径の複数の大径配管のいずれか一つを選択して保持可能に複数箇所に設けられていることを要旨とする。
【００１２】
（作用）
本発明は、支持具本体の小径配管収容溝に小径配管の湾曲部がその座屈を矯正された状態で収容される。一方、支持具本体の小径配管収容溝の開口側に設けた左右一対の大径配管保持部に大径配管の湾曲部の外周面の二箇所がその座屈を矯正された状態で保持される。前記小径配管又は大径配管の湾曲部の両端部は、前記小径配管収容溝の湾曲方向の両端部に設けられた共通の保持部においてクランプ具によりクランプされる。
【発明の効果】
【００１３】
本発明によれば、外径寸法の異なる複数種類の配管の湾曲部を一つの支持具本体により支持することができ、複数種類の支持具を用いるのと比較して、コストを低減することができる。
【発明を実施するための最良の形態】
【００１４】
以下、本発明を具体化した床暖房用の配管支持具の一実施形態を図１〜図１０にしたがって説明する。
図４に示すように、この実施形態の配管支持具は、例えばポリエチレン等の合成樹脂製の支持具本体１１と、二つのクランプ具１２，１３とにより構成されている。前記支持具本体１１の円弧状半円筒部１１ａは、側方から見てほぼ四半円弧状に形成され、この円弧状半円筒部１１ａの左右両側中央部には図３に示すように左右一対の脚板１１ｂが一体に形成されている。この明細書では図１の１−１線、２−２線、３−３線断面を表す図２( ａ) 、( ｂ) 、図３において左右を前記支持具本体１１及び円弧状半円筒部１１ａの左右と言うものとする。前記両脚板１１ｂの下端部には座板１１ｃが横方向に一体形成されている。両座板１１ｃには図７に示すように固定構造物としてのコンクリートスラブ２１に植設された固定用のボルト２５を挿通するための挿通孔１１ｄが形成されている。
【００１５】
図３に示すように、前記円弧状半円筒部１１ａの左右両側内面には一対の円弧状段差部１１ｅが図１に示すように側方から見て円弧状に形成されている。前記両円弧状段差部１１ｅを境として前記円弧状半円筒部１１ａの内側に例えば架橋ポリエチレンの直径１７ｍｍの裸管よりなる小径配管Ｐ１を収容する小径配管収容溝１１ｆが図１に示すように側方から見て円弧状に形成されている。図３に示すように、前記小径配管収容溝１１ｆの中心軸線Ｏ１、つまり該小径配管収容溝１１ｆに収容された小径配管Ｐ１の湾曲部の中心軸線Ｏ１から前記円弧状段差部１１ｅまでの距離Ｌ１は、例えば０〜１０ｍｍの範囲に設定され、この実施形態では５ｍｍに設定されている。そして、図８に示すように楕円筒状に座屈された小径配管Ｐ１を真円筒状に矯正して収容溝１１ｆに収容することができるようにしている。
【００１６】
前記円弧状段差部１１ｅを境として前記小径配管収容溝１１ｆの外側（開放側）には、例えばコルゲート管に前記裸管を挿入した直径２３ｍｍの大径配管Ｐ２の外周面の左右二箇所を保持する左右一対の大径配管保持部１１ｇが図１に示すように側方から見て円弧状に形成されている。両大径配管保持部１１ｇの横断面は、図３に示すように円弧面に形成され、両保持部１１ｇの円弧面に連なる外側の平面Ｓは外側ほど間隔が緩やかに大きくなるテーパ平面となっている。図３に示すように、前記大径配管保持部１１ｇの円弧面の中心軸線Ｏ２、つまり該保持部１１ｇに保持された大径配管Ｐ２の中心軸線Ｏ２から前記大径配管保持部１１ｇの円弧面に連なる平面Ｓの外端縁ｅまでの距離Ｌ２は、例えば０〜１５ｍｍの範囲に設定され、この実施形態では１０ｍｍに設定されている。そして、図１０に示すように楕円筒状に座屈された大径配管Ｐ２が両平面Ｓにより真円筒状に矯正されて両大径配管保持部１１ｇに押し込まれて保持されるようにしている。
【００１７】
前記円弧状段差部１１ｅ及び大径配管保持部１１ｇは、図１に示す円弧状半円筒部１１ａの円弧（配管の湾曲）方向の中央部において図３に示すように段差が最も大きく形成され、湾曲方向の両端部へ行くほど図２（ａ）、（ｂ）に示すように段差が小さくなるように形成されている。前記円弧状段差部１１ｅは、図１に示すように配管収容溝１１ｆの底面（内頂面）からの距離ｄが全域に亘ってほぼ同じに設定されている。そして、図４及び図５に示すように配管収容溝１１ｆの上端部１１ｍ及び下端部１１ｎにおいて、前記円弧状段差部１１ｅの段差が無くなり、上端部１１ｍ及び下端部１１ｎが図１に示すように小径配管Ｐ１と大径配管Ｐ２の湾曲部の上下両端部の共通の保持部１１ｍ，１１ｎとなるようにしている。
【００１８】
前記円弧状半円筒部１１ａの上端部左右両側には図４及び図５に示すようにブラケット１１ｈが上下方向に、かつ互いに平行に一体形成され、両ブラケット１１ｈの先端縁には対向する平行な左右一対の係止突条１１ｉがブラケット１１ｈに対して直角に、かつ上下方向を指向するように形成されている。前記円弧状半円筒部１１ａの下端部にも前記ブラケット１１ｈ及び係止突条１１ｉと同様のブラケット１１ｊ及び係止突条１１ｋが水平方向を指向するように一体に形成されている。
【００１９】
前記ブラケット１１ｈ及び係止突条１１ｉには、図４に示すクランプ具１２が下方から取り外し可能に装着されるようになっている。前記クランプ具１２の本体１２ａに一体形成された傾斜台座１２ｂには半円筒状で側方からみて円弧状のクランプ溝１２ｃが形成されている。前記本体１２ａの左右両側部には左右一対の係止突条１２ｄがＬ字状に、かつ上下方向を指向するように互いに平行に一体形成されている。又、前記本体１２ａの側面には前記係止突条１２ｄと対向するように係止突条１２ｅが一体に形成されている。前記係止突条１２ｄ及び係止突条１２ｅによって前記支持具本体１１の係止突条１１ｉを係合するための係合溝１２ｆが形成されている。
【００２０】
前記ブラケット１１ｊ及び係止突条１１ｋには、図４に示すクランプ具１３が取り外し可能に装着されるようになっている。このクランプ具１３は前記クランプ具１２と同様に、本体１３ａ、傾斜台座１３ｂ、クランプ溝１３ｃ、係止突条１３ｄ、係止突条１３ｅ及び係合溝１３ｆによって形成されている。
【００２１】
図４において、支持具本体１１のブラケット１１ｈ及び係止突条１１ｉに前記クランプ具１２を装着する場合には、前記クランプ具１２を上向きの矢印で示すように上方に移動して、図６に示すように係合溝１２ｆに係止突条１１ｉを挿入することにより行う。同様に、支持具本体１１のブラケット１１ｊ及び係止突条１１ｋに前記クランプ具１３を装着する場合には、図４において、前記クランプ具１３を水平の矢印で示すように移動して、図６に示すように係合溝１３ｆに係止突条１１ｋを挿入することにより行う。
【００２２】
図４に示すように、前記クランプ具１２の両係止突条１２ｄの一端部にはストッパ１２ｇがそれぞれ形成され、前記支持具本体１１の両脚板１１ｂの端部には弾性変形可能な係止板部１１ｌがそれぞれ形成されている。又、前記係合溝１２ｆの下端部にはストッパ１２ｈが一体に形成されている。そして、図６に示すように前記支持具本体１１のブラケット１１ｈ、係止突条１１ｉにクランプ具１２が装着される際に、前記ストッパ１２ｇによって前記係止板部１１ｌが弾性変形されてこの係止板部１１ｌをストッパ１２ｇが乗り越えて、ストッパ１２ｇが係止板部１１ｌに係止される。又、前記ストッパ１２ｈが前記ブラケット１１ｈ及び係止突条１１ｉの下端縁に係止されることによりクランプ具１２が所定のクランプ位置に保持されるようになっている。前記クランプ具１３の係止突条１３ｄにはストッパ１３ｇが形成され、前記係合溝１３ｆの端部にはストッパ１３ｈが形成されている。そして、図６に示すように前記支持具本体１１のブラケット１１ｊ、係止突条１１ｋにクランプ具１３が装着される際に、前記ストッパ１３ｇが脚板１１ｂを弾性変形させることにより座板１１ｃの内側面を乗り越えて座板１１ｃの端縁に該ストッパ１３ｇが係止される。そして、前記ストッパ１３ｈがブラケット１１ｊ及び係止突条１１ｋの端縁に当接されることによりクランプ具１３が所定のクランプ位置に保持されるようになっている。
【００２３】
前記クランプ具１２，１３は、小径配管Ｐ１のクランプに用いられ、大径配管Ｐ２のクランプには前記クランプ具１２，１３の傾斜台座１２ｂ，１３ｂ及びクランプ溝１２ｃ，１３ｃの形状を大径配管Ｐ２に応じて変更した別のクランプ具１２Ａ，１３Ａが用いられる。（図９及び別の実施形態を示す図１１参照）
次に、前述した配管支持具を用いて床暖房用の小径配管Ｐ１又は大径配管Ｐ２を支持する方法について順次説明する。
【００２４】
図７に示すようにコンクリートスラブ２１の上面に配設された小径配管Ｐ１は、このコンクリートスラブ２１から円弧状に湾曲されて一対の壁板２２，２３の間に立ち上げられる。前記小径配管Ｐ１の湾曲部の上端部は、床板２４とほぼ同じ高さとなる。図４に示すように、前記支持具本体１１がクランプ具１２，１３を取り外した単体の状態で、この支持具本体１１の円弧状半円筒部１１ａを前記小径配管Ｐ１の湾曲部に嵌合して、前記小径配管収容溝１１ｆに対し図７に示すように小径配管Ｐ１の円弧状の湾曲部を図８に実線で示すように収容する。このとき、図８に二点鎖線で示すように配管Ｐ１が湾曲される際に楕円筒状に座屈（変形）された配管Ｐ１が同図実線で示すように真円筒状に矯正される。
【００２５】
次に、支持具本体１１のブラケット１１ｈ及び係止突条１１ｉに対しクランプ具１２を図４及び図６を用いて説明した前述の方法で装着し、前記小径配管Ｐ１の湾曲部の上部外周面を、前記小径配管収容溝１１ｆの保持部１１ｍの内周面と、クランプ溝１２ｃとの間でクランプする。又、支持具本体１１のブラケット１１ｊ及び係止突条１１ｋにクランプ具１３を装着し、小径配管Ｐ１の湾曲部の下部外周面を、前記小径配管収容溝１１ｆの保持部１１ｎの内周面とクランプ溝１３ｃとの間でクランプする。なお、小径配管Ｐ１の湾曲部の両端部に生じた楕円筒状の座屈は、クランプ具１２，１３の半円筒状のクランプ溝１２ｃ，１３ｃによって矯正される。
【００２６】
前記支持具本体１１の挿通孔１１ｄにはコンクリートスラブ２１に立設したボルト２５が挿入され、該ボルト２５に螺合されたナット２６によって所定位置に固定される。
次に、大径配管Ｐ２を支持する動作について説明する。
【００２７】
図９に示すように、大径配管Ｐ２の側方から見て四半円弧状に湾曲された湾曲部に対し、単体の支持具本体１１を嵌合する。そして、前記支持具本体１１の円弧状段差部１１ｅに沿うようにして大径配管Ｐ２の湾曲部を図１０に実線で示すように左右一対の大径配管保持部１１ｇによって二箇所で支持する。このとき、図１０に二点鎖線で示すように大径配管Ｐ２が湾曲される際に楕円筒状に座屈（変形）された大径配管Ｐ２が同図実線で示すように真円筒状に矯正される。
【００２８】
次に、大径配管Ｐ２のクランプ用に用意されたクランプ具１２Ａ，１３Ａを用いて配管Ｐ２の外周面の二箇所をクランプする。なお、前記クランプ具１２，１３、１２Ａ，１３Ａを二種類用意するのは従来と同様である。
【００２９】
上記実施形態の配管支持具によれば、以下のような効果を得ることができる。
（１）上記実施形態では、前記支持具本体１１の円弧状半円筒部１１ａに円弧状段差部１１ｅを形成し、この円弧状段差部１１ｅを境として、小径配管Ｐ１の湾曲部をその座屈を矯正して収容する小径配管収容溝１１ｆを形成するとともに、大径配管Ｐ２の湾曲部をその座屈を矯正して保持する左右一対の大径配管保持部１１ｇを形成した。このため、一つの支持具本体１１によって、小径配管Ｐ１又は大径配管Ｐ２の湾曲部のいずれかを適正に支持することができる。
【００３０】
（２）上記実施形態では、前記大径配管保持部１１ｇは、小径配管収容溝１１ｆの左右両側端縁に対し大径配管Ｐ２の湾曲部の円弧（湾曲）方向に沿うように側方から見て円弧状に形成された円弧状段差部１１ｅによって形成されている。このため、型成形により円弧状段差部１１ｅ及び大径配管保持部１１ｇの製造を容易に行うことができる。
【００３１】
（３）上記実施形態では、前記円弧状段差部１１ｅ及び大径配管保持部１１ｇが円弧状半円筒部１１ａの円弧（配管の湾曲）方向の中央部では大きく、湾曲方向の両端部に行くに従い漸減するように小さく形成されている。このため、前記配管収容溝１１ｆの湾曲方向の両端部の同じ保持部１１ｍ，１１ｎにおいて、小径配管Ｐ１又は大径配管Ｐ２の湾曲部の両端部をクランプ具１２，１３又はクランプ具１２Ａ，１３Ａによりクランプして、配管収容溝１１ｆから導出することができ、異径の配管Ｐ１，Ｐ２の敷設作業を円滑に行うことができる。
【００３２】
（４）上記実施形態では、図７に示すように前記クランプ具１２及びクランプ具１３により小径配管Ｐ１の湾曲部の上下両端部をクランプするようにしたので、小径配管Ｐ１のコンクリートスラブ２１に接する水平部及び壁板２２に接する垂直部をクランプする構成と比較して、配管支持具の高さ寸法を短くすることができ、床板２４の高さ寸法が短い床構造に容易に適用することができる。
【００３３】
なお、上記実施形態は以下のように変更してもよい。
・図１１に示すように、前記支持具本体１１の係止板部１１ｌを外側に変位させるとともに、係止板部１１ｌの上端部を外側に膨出形成し、クランプ具１２が支持具本体１１のクランプ位置に装着された状態で、ストッパ１２ｇを強固に係止するようにしてもよい。又、前記ブラケット１１ｊ及びブラケット１１ｈに突起１１ｏを設けて、前記クランプ具１２Ａ及びクランプ具１３Ａが破線で示す矢印方向から装着できないようにしてもよい。
【００３４】
・前記支持具本体１１の円弧状半円筒部１１ａに対し、外径の異なる二種類以上の大径配管のいずれか一種の大径配管を保持することができる大径配管保持部１１ｇを二箇所以上に段階的に形成してもよい。
【００３５】
・前記円弧状段差部１１ｅ及び大径配管保持部１１ｇを、円弧状半円筒部１１ａの湾曲方向の中央部のみに部分的に形成したり、湾曲方向の中間部に複数箇所に設けたりしてもよい。
・前記支持具本体１１は、床暖房の配管の湾曲部を支持するようにしたが、本発明を各種の配管の湾曲部を支持する配管支持具に具体化してもよい。
（技術的思想）
前述した構成から把握される技術的思想を以下に記載する。
【００３６】
（１）請求項１〜５のいずれか一項において、支持具本体は合成樹脂により一体に形成されていることを特徴とする配管支持具。
【図面の簡単な説明】
【００３７】
【図１】この発明の配管支持具を具体化した支持具本体の中央部縦断面図。
【図２】（ａ）は図１の１−１線断面図、（ｂ）は図１の２−２線断面図。
【図３】図１の３−３線断面図。
【図４】配管支持具の支持具本体、クランプ具の分離斜視図。
【図５】支持具本体を下から見た一部省略斜視図。
【図６】支持具本体にクランプ具を装着した斜視図。
【図７】配管支持具により小径配管を支持した状態を示す中央部縦断面図。
【図８】図７の４−４線端面図。
【図９】配管支持具により大径配管を支持した状態を示す中央部縦断面図。
【図１０】図９の５−５線端面図。
【図１１】この発明の配管支持具の別の実施形態を示す斜視図。
【図１２】従来の配管支持具の使用状態を示す中央部縦断面図。
【図１３】（ａ）は図１２の６−６線における支持具本体と小径配管の端面図、（ｂ）は同じく図１２の６−６線における支持具本体と大径配管の端面図。
【符号の説明】
【００３８】
ｄ，Ｌ１，Ｌ２…距離、ｅ…外端縁、Ｏ１，Ｏ２…中心軸線、Ｐ１…小径配管、Ｐ２…大径配管、１１ａ…円弧状半円筒部、１１ｂ…脚板、１１ｅ…円弧状段差部、１１ｆ…小径配管収容溝、１１ｇ，１１ｍ，１１ｎ…保持部、１１ｇ…大径配管保持部、１２，１２Ａ，１３，１３Ａ…クランプ具。
【図１】
2008138697.tif 000003
【図２】
2008138697.tif 000004
【図３】
2008138697.tif 000005
【図４】
2008138697.tif 000006
【図５】
2008138697.tif 000007
【図６】
2008138697.tif 000008
【図７】
2008138697.tif 000009
【図８】
2008138697.tif 000010
【図９】
2008138697.tif 000011
【図１０】
2008138697.tif 000012
【図１１】
2008138697.tif 000013
【図１２】
2008138697.tif 000014
【図１３】
2008138697.tif 000015